(57)【要約】【課題】簡易的に除染効果を評価することのできる除染効果評価方法および除染方法を提供する。【解決手段】除染対象物に対する除染による除染効果を評価する方法であって、放射性物質を模擬したトレーサーを母材に混合して、模擬汚染材を作製するステップＳＴＥＰ１と、模擬汚染材に含まれるトレーサーの初期濃度を取得するステップと、所定の構造物の表層に模擬汚染材を設けて、模擬的な除染対象物を作製するステップＳＴＥＰ２と、模擬的な除染対象物を除染するステップＳＴＥＰ３と、除染後の模擬的な除染対象物から試料を採取し、試料に含まれるトレーサーの濃度を測定するステップＳＴＥＰ４、５と、試料に含まれるトレーサーの濃度と、模擬汚染材に含まれるトレーサーの初期濃度の差または比に基づいて、除染効果を評価するステップＳＴＥＰ６とを備えるようにする。【選択図】図１
2019039775.tif 000002
【特許請求の範囲】
【請求項１】
除染対象物に対する除染による除染効果を評価する方法であって、
放射性物質を模擬したトレーサーを母材に混合して、模擬汚染材を作製するステップと、
模擬汚染材に含まれるトレーサーの初期濃度を取得するステップと、
所定の構造物の表層に模擬汚染材を設けて、模擬的な除染対象物を作製するステップと、
模擬的な除染対象物を除染するステップと、
除染後の模擬的な除染対象物から試料を採取し、試料に含まれるトレーサーの濃度を測定するステップと、
試料に含まれるトレーサーの濃度と、模擬汚染材に含まれるトレーサーの初期濃度の差または比に基づいて、除染効果を評価するステップとを備えることを特徴とする除染効果評価方法。
【請求項２】
模擬的な除染対象物の異なる位置に異なる除染深さを複数設定し、各位置を各除染深さで除染するステップと、各除染深さにおける除染効果を評価するステップとを備えることを特徴とする請求項１に記載の除染効果評価方法。
【請求項３】
模擬汚染材の母材として建築用仕上材を用いることを特徴とする請求項１または２に記載の除染効果評価方法。
【請求項４】
除染対象物に対する除染方法であって、
請求項１〜３のいずれか一つに記載の除染効果評価方法により、除染対象物に対する除染効果を評価するステップと、
評価した除染効果に基づいて模擬的な除染対象物が模擬する除染対象物に対する除染仕様を設定し、設定した除染仕様で除染対象物を除染するステップとを備えることを特徴とする除染方法。
【発明の詳細な説明】
【技術分野】
【０００１】
本発明は、放射能汚染コンクリートなどの除染対象物に対する除染による効果を評価する除染効果評価方法、および、これを用いた除染方法に関するものである。
【背景技術】
【０００２】
原子力施設の廃止措置工事において、原子炉や再処理施設等の建屋コンクリート壁面や床面の放射能汚染部は、はつり工法をはじめとした種々の除染工法により除去されている（例えば、特許文献１を参照）。このような工事により発生する放射性廃棄物は放射能レベルで区分され、汚染レベルに応じた処分方法が適用される。放射性廃棄物をレベル別に分別し、合理的に処理・処分するため、はつり工法等の除染効果や、除染後の汚染残存状況を評価する方法が必要とされている。
【０００３】
除染効果等を評価する従来の方法としては、放射性物質を含む試料を用いるホット試験と、放射性物質を用いずに行うコールド試験が知られている。コールド試験では、例えば対象物にペンキ等の塗装を施すことで汚染を模擬した除染対象物を作製した後、模擬的な汚染部を除染し、塗装の残存状況を目視等でチェックすることで、除染効果を確認する。一方、ホット試験では、放射化した除染対象物を使用し、汚染部を除去した後の対象物の線量等を測定することで、除染効果を確認する。
【先行技術文献】
【特許文献】
【０００４】
【特許文献１】特開２０１３−１８１９２１号公報
【発明の概要】
【発明が解決しようとする課題】
【０００５】
ところで、実際の放射化コンクリートの汚染レベルは、放射化した微量元素の含有量により区分されるため、検出感度としては数ｐｐｍ〜数百ｐｐｍの検出能が必要である。
【０００６】
しかし、上記の塗装を用いたコールド試験は、ｐｐｍオーダーでの汚染残存有無の定量評価が困難であり、汚染レベルを正確に把握することができない。ホット試験は、コールド試験に比べて試験が大掛かりであり、試験期間が必要である。
【０００７】
また、はつり工法で除染対象物を物理的に除染する場合、はつり機の先端に付着した粉塵等がコンクリート壁面・床面に再付着し、除染後のコンクリート壁面・床面が再汚染（二次汚染）するおそれがある。しかし、二次汚染について検討するためのコールド試験は実施例が少なく、簡易的に除染効果を評価する方法が必要とされていた。
【０００８】
本発明は、上記に鑑みてなされたものであって、簡易的に除染効果を評価することのできる除染効果評価方法および除染方法を提供することを目的とする。
【課題を解決するための手段】
【０００９】
上記した課題を解決し、目的を達成するために、本発明に係る除染効果評価方法は、除染対象物に対する除染による除染効果を評価する方法であって、放射性物質を模擬したトレーサーを母材に混合して、模擬汚染材を作製するステップと、模擬汚染材に含まれるトレーサーの初期濃度を取得するステップと、所定の構造物の表層に模擬汚染材を設けて、模擬的な除染対象物を作製するステップと、模擬的な除染対象物を除染するステップと、除染後の模擬的な除染対象物から試料を採取し、試料に含まれるトレーサーの濃度を測定するステップと、試料に含まれるトレーサーの濃度と、模擬汚染材に含まれるトレーサーの初期濃度の差または比に基づいて、除染効果を評価するステップとを備えることを特徴とする。
【００１０】
また、本発明に係る他の除染効果評価方法は、上述した発明において、模擬的な除染対象物の異なる位置に異なる除染深さを複数設定し、各位置を各除染深さで除染するステップと、各除染深さにおける除染効果を評価するステップとを備えることを特徴とする。
【００１１】
また、本発明に係る他の除染効果評価方法は、上述した発明において、模擬汚染材の母材として建築用仕上材を用いることを特徴とする。
【００１２】
また、本発明に係る除染方法は、除染対象物に対する除染方法であって、上述した除染効果評価方法により、除染対象物に対する除染効果を評価するステップと、評価した除染効果に基づいて模擬的な除染対象物が模擬する除染対象物に対する除染仕様を設定し、設定した除染仕様で除染対象物を除染するステップとを備えることを特徴とする。
【発明の効果】
【００１３】
本発明に係る除染効果評価方法によれば、除染対象物に対する除染による除染効果を評価する方法であって、放射性物質を模擬したトレーサーを母材に混合して、模擬汚染材を作製するステップと、模擬汚染材に含まれるトレーサーの初期濃度を取得するステップと、所定の構造物の表層に模擬汚染材を設けて、模擬的な除染対象物を作製するステップと、模擬的な除染対象物を除染するステップと、除染後の模擬的な除染対象物から試料を採取し、試料に含まれるトレーサーの濃度を測定するステップと、試料に含まれるトレーサーの濃度と、模擬汚染材に含まれるトレーサーの初期濃度の差または比に基づいて、除染効果を評価するステップとを備えるので、簡易的に除染効果等を評価することができるという効果を奏する。
【００１４】
また、本発明に係る他の除染効果評価方法によれば、模擬的な除染対象物の異なる位置に異なる除染深さを複数設定し、各位置を各除染深さで除染するステップと、各除染深さにおける除染効果を評価するステップとを備えるので、除染深さ別の複数の除染効果を効率的に評価することができるという効果を奏する。
【００１５】
また、本発明に係る他の除染効果評価方法によれば、模擬汚染材の母材として建築用仕上材を用いるので、除染対象物を構成する鉄筋コンクリートなどの構造物の表層に対して、通常の建築工事で実施する表面仕上げの要領で容易に設けることができるという効果を奏する。
【００１６】
また、本発明に係る除染方法によれば、除染対象物に対する除染方法であって、上述した除染効果評価方法により、除染対象物に対する除染効果を評価するステップと、評価した除染効果に基づいて模擬的な除染対象物が模擬する除染対象物に対する除染仕様を設定し、設定した除染仕様で除染対象物を除染するステップとを備えるので、上述した除染効果評価方法で除染効果を予備的に確認することで、実際の除染対象物に対する除染作業等を効率的に実施することができるという効果を奏する。
【図面の簡単な説明】
【００１７】
【図１】図１は、本発明に係る除染効果評価方法の実施の形態を示す実施手順図である。
【発明を実施するための形態】
【００１８】
以下に、本発明に係る除染効果評価方法および除染方法の実施の形態を図面に基づいて詳細に説明する。なお、この実施の形態によりこの発明が限定されるものではない。
【００１９】
［除染効果評価方法］
まず、本実施の形態に係る除染効果評価方法について説明する。
【００２０】
本実施の形態に係る除染効果評価方法は、あらかじめトレーサーを練混ぜた建築用仕上材等（母材）を模擬汚染材とし、これを対象物（例えば鉄筋コンクリート構造物）の表層に所定の厚み（汚染深さ）まで塗布・浸透させて模擬的な除染対象物を作製した後、任意の除染工法（例えば、はつり工法）で当該部分を除染するものである。そして、除染後の模擬的な除染対象物から粉体試料を採取し、化学分析によりトレーサーの濃度を確認することで、除染効果、汚染の残存状況および二次汚染の有無を簡易的に評価する。
【００２１】
図１は、本実施の形態の実施手順を示したものである。この図に示すように、本実施の形態は、以下のＳＴＥＰ１〜ＳＴＥＰ６の手順で実施される。
【００２２】
（ＳＴＥＰ１）
建築用仕上材等（例えば、モルタル、コンクリート）に放射性物質を模擬したトレーサーを混入し、模擬汚染材を作製する。トレーサーは、除染対象物が含有しない元素を含む化合物とする。除染対象物がコンクリートの場合には、例えばバリウム、ストロンチウム、ルビジウム、セシウム等の元素を含む化合物とすることができる。トレーサーの混入方法は、建築用仕上材等に粉体（例えば、硫酸バリウム）として直接混入する方法や、建築用仕上材等の練混ぜ水に液体（例えば、塩化バリウム水溶液）を溶かした上で練混ぜる方法等を用いることが好ましい。除染前のトレーサーの濃度Ｗ０（初期濃度）は、建築用仕上材等の重量に対するトレーサーの重量から算定することができる。
【００２３】
（ＳＴＥＰ２）
次に、汚染を模擬する対象物（構造物。例えば鉄筋コンクリート製の壁面）に対して、上記の模擬汚染材を任意の厚さｄ０で塗布・浸透させることにより、模擬的な除染対象物を作製する。模擬汚染材の塗布・浸透は、例えば使用する模擬汚染材が仕上モルタルであれば、通常の建築工事で実施する床仕上げの要領で施工することができる。
【００２４】
（ＳＴＥＰ３）
模擬汚染材の塗布・浸透後、模擬的な除染対象物を任意の除染工法（例えば、はつり工法）で除染する。除染深さｄは、塗布・浸透面から任意の深さとする。除染効果を確認する場合、除染深さｄを複数設定するのも効果的である。なお、図の例では、模擬的な除染対象物の下側から順に段階的に異なる３つの除染深さｄ１、ｄ２、ｄ３（ｄ１＜ｄ２＜ｄ３）を設定している。このように、模擬的な除染対象物の異なる位置に異なる除染深さを複数設定し、各除染深さにおける除染効果を評価すれば、除染深さ別の複数の除染効果を効率的に評価することができる。
【００２５】
（ＳＴＥＰ４）
次に、除染後の模擬的な除染対象物の表面から、チッピング等で粉体を採取する。
【００２６】
（ＳＴＥＰ５）
次に、化学分析等により、採取した粉体に含まれるトレーサーの濃度Ｗｄ（除染後のトレーサーの濃度）を測定する。この測定結果については、例えば図に示すようなグラフ（トレーサーの濃度Ｗｄと塗布面からの深さｄの関係）で整理してもよい。
【００２７】
（ＳＴＥＰ６）
次に、除染前のトレーサーの濃度Ｗ０および除染後のトレーサーの濃度Ｗｄ（初期濃度）の濃度差もしくは濃度比から、除染効果、汚染の残存状況および二次汚染の有無を評価する。
【００２８】
このように、本実施の形態の除染効果評価方法によれば、トレーサーとして、除染対象物が含有しない元素を含む化合物を用いることで、除染工法（例えば、はつり工法等）の有効性や、除染後の対象物に対する汚染の残存状況および二次汚染を定量的かつ詳細に評価することができる。
【００２９】
また、ホット試験や実施工の実施前に上記の除染効果評価方法を実施することで、除染効果を予備的に確認することができる。また、化学分析により、トレーサーをｐｐｍオーダーで検出することができ、実際の放射性廃棄物の汚染レベルの区分との整合性が取れる。また、建築用仕上材等の塗布・浸透厚さを適宜設定することで、模擬する汚染の深さを制御することができる。
【００３０】
さらに、除染効果および二次汚染の有無を定量的に評価することで、除染後の除染対象物の汚染レベルを正確に評価することができ、放射性廃棄物の処理・処分の効率化や、処分費用の低減につながる。
【００３１】
［除染方法］
次に、本実施の形態に係る除染方法について説明する。
【００３２】
本実施の形態に係る除染方法は、実際の除染対象物に対する除染方法であって、上述した除染効果評価方法により、除染対象物に対する除染効果を評価するステップと、評価した除染効果に基づいて模擬的な除染対象物が模擬する実際の除染対象物に対する除染仕様を設定し、設定した除染仕様で除染対象物を除染するステップとを備えるものである。この除染方法によれば、上記の除染効果評価方法で除染効果を予備的に確認しておくことで、実際の除染対象物に対する除染作業等を効率的に実施することができる。
【００３３】
以上説明したように、本発明に係る除染効果評価方法によれば、除染対象物に対する除染による除染効果を評価する方法であって、放射性物質を模擬したトレーサーを母材に混合して、模擬汚染材を作製するステップと、模擬汚染材に含まれるトレーサーの初期濃度を取得するステップと、所定の構造物の表層に模擬汚染材を設けて、模擬的な除染対象物を作製するステップと、模擬的な除染対象物を除染するステップと、除染後の模擬的な除染対象物から試料を採取し、試料に含まれるトレーサーの濃度を測定するステップと、試料に含まれるトレーサーの濃度と、模擬汚染材に含まれるトレーサーの初期濃度の差または比に基づいて、除染効果を評価するステップとを備えるので、簡易的に除染効果等を評価することができる。
【００３４】
また、本発明に係る他の除染効果評価方法によれば、模擬的な除染対象物の異なる位置に異なる除染深さを複数設定し、各位置を各除染深さで除染するステップと、各除染深さにおける除染効果を評価するステップとを備えるので、除染深さ別の複数の除染効果を効率的に評価することができる。
【００３５】
また、本発明に係る他の除染効果評価方法によれば、模擬汚染材の母材として建築用仕上材を用いるので、除染対象物を構成する鉄筋コンクリートなどの構造物の表層に対して、通常の建築工事で実施する表面仕上げの要領で容易に設けることができる。
【００３６】
また、本発明に係る除染方法によれば、除染対象物に対する除染方法であって、上述した除染効果評価方法により、除染対象物に対する除染効果を評価するステップと、評価した除染効果に基づいて模擬的な除染対象物が模擬する除染対象物に対する除染仕様を設定し、設定した除染仕様で除染対象物を除染するステップとを備えるので、上述した除染効果評価方法で除染効果を予備的に確認することで、実際の除染対象物に対する除染作業等を効率的に実施することができる。
【産業上の利用可能性】
【００３７】
以上のように、本発明に係る除染効果評価方法および除染方法は、放射能汚染コンクリートなどの除染対象物に対する除染効果を評価するのに有用であり、特に、除染効果を簡易的に評価するのに適している。
【図１】
2019039775.tif 000003